(57)【要約】【課題】建物の外側の出入口付近の通行人に対する風を低減することができる建物の出入口の風逃がし構造、及び方法を提供する。【解決手段】風逃がし構造１００は、出入口２の上側に形成され、建物１の前側へ向かって延びる屋根６を備えている。この屋根６は、側壁部３のうち、出入口２の上側に配置される第１の壁面３Ａから離間することで、屋根６の基端部６ａと当該第１の壁面３Ａとの間には隙間８が形成される。従って、建物１の外側から出入口２へ向かって吹付ける風のうち、一部の風Ｗ１は、屋根６の基端部６ａと第１の壁面３Ａとの間の隙間に流れ込んでゆく。すなわち、一部の風Ｗ１を上方へ逃がすことができる。その結果、出入口へ向かう風Ｗ２の風速を低減させることができる。【選択図】図１
2018131844.tif 000002
【特許請求の範囲】
【請求項１】
建物の出入口へ吹き込む風を逃がす、建物の出入口の風逃がし構造であって、
前記建物の一の側壁部に形成される前記出入口と、
前記出入口の上側に形成され、前記建物の前側へ向かって延びる屋根と、を備え、
前記屋根は、前記出入口の上側において、前記側壁部から離間することで、前記屋根の基端部と前記側壁部との間には隙間が形成される、建物の出入口の風逃がし構造。
【請求項２】
前記出入口の上縁部に形成され、前記建物の前側へ向かって延びる庇部を更に備え、
前記屋根の基端部は、前記庇部から上方へ離間した位置に配置されている、請求項１に記載の建物の出入口の風逃がし構造。
【請求項３】
前記側壁部は、上方から見たときに、前記側壁部が広がる水平方向において、少なくとも前記出入口と対応する位置に配置される第１の壁面と、前記第１の壁面とは異なる位置に配置される第２の壁面と、を有し、
前記第１の壁面は、前記第２の壁面よりも前記建物の後側に形成される、請求項１又は２に記載の建物の出入口の風逃がし構造。
【請求項４】
前記出入口の前方に離間した位置に形成され、前記出入口へ向かう風を遮断する遮断部を更に備える、請求項１〜３の何れか一項に記載の建物の出入口の風逃がし構造。
【請求項５】
建物の出入口へ吹き込む風を逃がす建物の出入口の風逃がし方法であって、
前記出入口は、前記建物の一の側壁部に形成され、
前記出入口の上側に、前記建物の前側へ向かって延びる屋根を形成し、
前記出入口の上側において、前記屋根を前記側壁部から離間させることで、前記屋根の基端部と前記側壁部との間に隙間を形成する、建物の出入口の風逃がし方法。
【発明の詳細な説明】
【技術分野】
【０００１】
本発明は、建物の出入口の風逃がし構造、及び建物の出入口の風逃がし方法に関する。
【背景技術】
【０００２】
従来、建物の出入口付近を通過する通行人に対する風を低減する構造として、例えば特許文献１に記載されているものが知られている。この構造では、出入口の扉を二重構造としている。すなわち、前側の扉と後側の扉を設け、二つの扉の間の空間を風除室として構成している。
【先行技術文献】
【特許文献】
【０００３】
【特許文献１】特開２００９−２６４０８９号公報
【発明の概要】
【発明が解決しようとする課題】
【０００４】
ここで、建物の外側の出入口付近の通行人に対する風を低減することが求められている。上述の構成では、建物内の通行人に対する風を低減することはできるが、建物の外側の通行人に対する風を低減する効果は不十分である。
【０００５】
本発明は、建物の外側の出入口付近の通行人に対する風を低減することができる建物の出入口の風逃がし構造、及び方法を提供することを目的とする。
【課題を解決するための手段】
【０００６】
本発明に係る建物の出入口の風逃がし構造は、建物の出入口へ吹き込む風を逃がす、建物の出入口の風逃がし構造であって、建物の一の側壁部に形成される出入口と、出入口の上側に形成され、建物の前側へ向かって延びる屋根と、を備え、屋根は、出入口の上側において、側壁部から離間することで、屋根の基端部と側壁部との間には隙間が形成される。
【０００７】
本発明に係る建物の出入口の風逃がし構造は、出入口の上側に形成され、建物の前側へ向かって延びる屋根を備えている。この屋根は、出入口の上側において、側壁部から離間することで、屋根の基端部と側壁部との間には隙間が形成される。従って、建物の外側から出入口へ向かって吹付ける風のうち一部の風は、屋根の基端部と側壁部との間の隙間に流れ込んでゆく。すなわち、一部の風を上方へ逃がすことができる。その結果、出入口へ向かう風の風速を低減させることができる。また、出入口で折り返されて、当該出入口側から吹付ける向かい風の風速も低減することができる。これにより、建物の外側の出入口付近の通行人に対する風を低減することができる。
【０００８】
また、本発明に係る建物の出入口の風逃がし構造は、出入口の上縁部に形成され、建物の前側へ向かって延びる庇部を更に備え、屋根の基端部は、庇部から上方へ離間した位置に配置されていてよい。これにより、庇部で風を案内することにより、屋根の基端部と側壁部との間の隙間へ逃がす風を捉えやすくなる。
【０００９】
また、本発明に係る建物の出入口の風逃がし構造において、側壁部は、上方から見たときに、側壁部が広がる水平方向において、少なくとも出入口と対応する位置に配置される第１の壁面と、第１の壁面とは異なる位置に配置される第２の壁面と、を有し、第１の壁面は、第２の壁面よりも建物の後側に形成されてよい。これにより、出入口付近の第１の壁面が後側へ窪んだ構成となるため、屋根の基端部と第１の壁面との間の隙間へ逃がす風を捉えやすくなる。また、第１の壁面が後側に形成される分、当該隙間を確保しやすくなる。
【００１０】
また、本発明に係る建物の出入口の風逃がし構造は、出入口の前方に離間した位置に形成され、出入口へ向かう風を遮断する遮断部を更に備えてよい。これにより、遮断部によって、出入口へ向かう風を遮断することで、風速を低減することができる。また、出入口付近の風圧も低減することができる。このように、風圧を低減することで、建物の内部との気圧差を低減することで、出入口から建物内へ吹き込む風を低減できる。
【００１１】
また、本発明に係る建物の出入口の風逃がし方法は、建物の出入口へ吹き込む風を逃がす建物の出入口の風逃がし方法であって、出入口は、建物の一の側壁部に形成され、出入口の上側に、建物の前側へ向かって延びる屋根を形成し、出入口の上側において、屋根を側壁部から離間させることで、屋根の基端部と当該第１の壁面との間に隙間を形成する。
【００１２】
本発明に係る建物の出入口の風逃がし方法によれば、上述の建物の出入口の風逃がし構造と同様の作用・効果を得ることができる。
【発明の効果】
【００１３】
本発明によれば、建物の外側の出入口付近の通行人に対する風を低減することができる。
【図面の簡単な説明】
【００１４】
【図１】図１は、本発明の実施形態に係る建物の出入口の風逃がし構造を示す図である。
【図２】図２は、変形例に係る建物の出入口の風逃がし構造を示す図である。
【図３】図３は、変形例に係る建物の出入口の風逃がし構造を示す図である。
【図４】図４は、変形例に係る建物の出入口の風逃がし構造を示す図である。
【図５】図５は、変形例に係る建物の出入口の風逃がし構造を示す図である。
【発明を実施するための形態】
【００１５】
以下、本発明の実施形態について、図面を参照して詳細に説明する。なお、図面において、同一または同等の要素には同じ符号を付し、重複する説明を省略する。
【００１６】
図１（ａ）は、本発明の実施形態に係る建物の出入口の風逃がし構造を横から見た概略構成図である。図１（ｂ）は、本発明の実施形態に係る建物の出入口の風逃がし構造を上方から見た概略図である。本実施形態では、建物１は、複数階（ここでは３階）建ての建物である。なお、風逃がし構造１００が採用される建物１の用途は特に限定されないが、例えば、ホテル、ショッピングモール、工場、事務所ビル等の用途が挙げられる。なお、建物形状は特に限定されないが、エントランスが配置される低層部の建物幅が広い建物の方がより有効である。また、本発明は、エントランスが配置される向き（扉が開く向き）に対して、季節風（強風）が吹き込むことが見込まれる場合に、より有効である。例えば、客室の向きが優先されるホテルなどの建物では、当該位置関係になる可能性がある。
【００１７】
本実施形態に係る風逃がし構造１００は、出入口２と、屋根６と、を備えている。なお、以降の説明においては、水平方向のうち、建物から遠ざかる方向を「前」と称し、建物の内部へ向かう方向を「後」と称して説明を行う。また、水平方向において後述の側壁部３が広がる方向を「幅方向」と称し、側壁部３と直交する方向を「前後方向」と称して説明を行う。
【００１８】
建物１の一階には通行人が出入りするための出入口２が形成されている。出入口２は、建物１の一の側壁部３に形成されている。なお、出入口２は、前側の扉２ａと、後側の扉２ｂを有する二重扉の構造を有している。従って、前側の扉２ａと後側の扉２ｂとの間には、風除室４が形成される。図中では、風除室４にはハッチングが付されている。側壁部３は、上方から見たとき（図１（ｂ）参照）に、側壁部３が広がる水平方向（図１（ｂ）において壁面３Ａ，３Ｂが延びている方向）において、少なくとも出入口２と対応する位置に配置される第１の壁面３Ａと、第１の壁面３Ａとは異なる位置に配置される第２の壁面３Ｂと、を有している。ここでは、側壁部３は、出入口２の上側に配置される第１の壁面３Ａと、水平方向において出入口２とは異なる位置に配置される第２の壁面３Ｂと、を有している。ただし、本実施形態では、第１の壁面３Ａと第２の壁面３Ｂとは、同一面を構成している。なお、第１の壁面３Ａは、出入口２の真上に無くともよく、前後方向においてずれた位置に配置されていてもよい（例えば、後述の図２（ｃ）参照）。
【００１９】
屋根６は、出入口２の上側に形成され、建物１の前側へ向かって延びる。屋根６は、水平方向に対して傾斜してもよいし、水平方向に延びていてもよい。本実施形態では、屋根６は、前側へ向かって斜め上方へ傾斜している。傾斜角度は特に限定されないが、例えば、４５°以下としてよい。これによって、出入口２側へ吹き込む風を集めやすくなる。屋根６は、上方から見て長方形をなす、板状の構成を有している。屋根６の前後方向における大きさは特に限定されないが、例えば、出入口２の手前に停止するバスなどの大型車両を覆う程度の大きさを有していてよい。屋根６の幅方向における大きさは特に限定されないが、出入口２（すなわち、第１の壁面３Ａ）の幅方向の大きさよりも大きくてよい。これによって、屋根６を車寄せやイベントスペースに利用することができる。
【００２０】
屋根６は、側壁部３のうち、出入口２の上側に配置される第１の壁面３Ａから離間する。これにより、屋根６の基端部６ａと当該第１の壁面３Ａとの間には隙間８が形成される。隙間８の大きさ、すなわち、屋根６の基端部６ａと第１の壁面３Ａとの間の前後方向における離間距離は特に限定されないが、出入口２へ向かって吹き込む風の一部を通過させる程度の離間距離は必要である。また、離間距離が大きくなりすぎた場合は、風の流れ込みが起き難くなるので、離間距離は所定の範囲に設定される。また、屋根６の基端部６ａの上下方向における位置は特に限定されないが、少なくとも、出入口２の上端よりも高い位置に設定されてよい。ただし、屋根６の基端部６ａの位置が高すぎる場合は、風の隙間８への流れ込みが起きなくなる場合があるので、出入口２の上端に近い位置に設定する。本実施形態では、屋根６の基端部６ａは、建物１の二階に対応する位置に配置されている。
【００２１】
次に、本実施形態に係る風逃がし構造１００及び風逃がし方法の作用・効果について説明する。
【００２２】
まず、比較例として、建物１の出入口２の上縁部付近に接続された庇部を設けた構造について説明する。当該庇部は、第１の壁面３Ａに隙間無く接続されており、前側へ向かって下方へ向かうように傾斜する。このような比較例に係る構造の場合、出入口２付近での風速が大きく、出入口２で折り返された逆風も生じる。
【００２３】
一方、本実施形態に係る建物１の出入口２の風逃がし構造１００は、出入口２の上側に形成され、建物１の前側へ向かって延びる屋根６を備えている。この屋根６は、側壁部３のうち、出入口２の上側に配置される第１の壁面３Ａから離間することで、屋根６の基端部６ａと当該第１の壁面３Ａとの間には隙間８が形成される。従って、建物１の外側から出入口２へ向かって吹付ける風のうち、一部の風Ｗ１は、屋根６の基端部６ａと第１の壁面３Ａとの間の隙間８に流れ込んでゆく。すなわち、一部の風Ｗ１を上方へ逃がすことができる。その結果、出入口へ向かう風Ｗ２の風速を低減させることができる。また、出入口で折り返されて、当該出入口２側から吹付ける向かい風Ｗ３の風速も低減することができる。これにより、建物１の外側の出入口２付近の通行人に対する風を低減することができる。
【００２４】
また、本実施形態に係る建物１の出入口２の風逃がし方法は、建物１の出入口２へ吹き込む風を逃がす建物１の出入口２の風逃がし方法である。出入口２は、建物１の一の側壁部３に形成され、出入口２の上側に、建物１の前側へ向かって延びる屋根６を形成し、側壁部３のうち、出入口２の上側に配置される第１の壁面３Ａから屋根６を離間させることで、屋根６の基端部６ａと当該第１の壁面３Ａとの間に隙間を形成する。
【００２５】
本実施形態に係る建物１の出入口２の風逃がし方法によれば、上述の建物１の出入口２の風逃がし構造１００と同様の作用・効果を得ることができる。
【００２６】
本発明は、上述の実施形態に限定されない。
【００２７】
例えば、図２（ａ）に示すように、庇部１１を追加してもよい。すなわち、風逃がし構造１００は、出入口２の上縁部に形成され、建物１の前側へ向かって延びる庇部１１を更に備えている。この場合、屋根６の基端部６ａは、庇部１１から上方へ離間した位置に配置されていてよい。これにより、庇部１１で風を案内することにより、屋根６の基端部６ａと第１の壁面３Ａとの間の隙間８へ逃がす風Ｗ１を捉えやすくなる。これにより、出入口２へ向かう風Ｗ２を更に減少させ、折り返す風Ｗ３も低減することができる。なお、庇部１１の長さは限定されない。ただし、地表面上で風速が低い範囲を広げるという点では、庇部１１を長くしてもよい。図２（ａ）の形態では、庇部１１の先端部１１ａは、屋根６の基端部６ａよりも前側に配置されている。これによって、隙間８付近の風Ｗ１の一部が出入口２側へ向かわないようにすることができる。また、雨除けの効果を得ることができる。ただし、庇部１１の先端部１１ａの位置は特に限定されず、前後方向において屋根６の基端部６ａと同一でもよく、後側に配置されてもよい。
【００２８】
また、図２（ｂ）に示すように、下面１６ｂが曲面となっている屋根１６を採用してもよい。下面１６ｂは、下側へ向けて緩やかな凸を描くように湾曲している。このように、下面１６ｂが曲面であることにより、風Ｗ１の流れをスムーズにすることができる。これにより、出入口２付近の風の流れの乱れを低減できる。
【００２９】
また、図２（ｃ）に示すように、出入口２の位置を第１の壁面３Ａよりも後側に後退（セットバック）させてもよい。このように、出入口２の位置を後退させることで、吹き込む風Ｗ２の勢いを弱めることができ、風速の低い領域を広く確保することができる。
【００３０】
また、庇部１１の先端部１１ａに、上方へ突出する突起を形成してもよい。これにより、庇部１１の先端部１１ａが風を跳ね上げ、隙間８に風を案内し易くなるという効果が得られる。また、庇部１１の前後方向における中途位置に貫通孔を形成してもよい。これにより、出入口２手前の領域において、風Ｗ２の一部を上方へ逃がすことができる。従って、出入口２手前の領域における風速を更に低減できる。また、上述の形態においては、いずれも屋根６の傾斜方向を逆向きにし、前側へ向かって下方へ傾斜するようにしてもよい。
【００３１】
また、図３及び図４に示すように、第１の壁面３Ａが第２の壁面３Ｂよりも建物１の後側に形成されてもよい。これにより、出入口２付近の第１の壁面３Ａが後側へ窪んだ構成となる。なお、第１の壁面３Ａと第２の壁面３Ｂとの間には、段差面３Ｃが形成される。出入口２の手前側の第１の壁面３Ａと、段差面３Ｃとで取り囲まれる領域は、風の勢いを低減するための減衰空地１４として機能する。庇部１１は、減衰空地１４全体を覆うと共に、壁面３Ｂよりも前側へ突出している。ただし、庇部１１の先端は、第２の壁面３Ｂと同位置、または後側に配置されてもよい。また、屋根６の基端部６ａは、第２の壁面３Ｂから僅かに前側に配置されているが、第２の壁面３Ｂと同位置、または後側にまで延びていてよい。
【００３２】
このように、図３及び図４に示す風逃がし構造１００において、側壁部３は、上方から見たときに、側壁部３が広がる水平方向において、少なくとも出入口２と対応する位置に配置される第１の壁面３Ａと、第１の壁面３Ａとは異なる位置に配置される第２の壁面３Ｂと、を有している。第１の壁面３Ａは、第２の壁面３Ｂよりも建物１の後側に形成されている。これにより、出入口２付近の第１の壁面３Ａが後側へ窪んだ構成となるため、屋根６の基端部６ａと第１の壁面３Ａとの間の隙間８へ逃がす風Ｗ１を捉えやすくなる。更に、減衰空地１４を形成することができるので、出入口２へ入り込む風Ｗ２及び出入口２で折り返される風Ｗ３の風速を低減することができる。また、第１の壁面３Ａが後側に形成される分、当該隙間８を確保しやすくなる。従って、庇部１１を建物１の第２の壁面３Ｂから長く延ばせない場合であっても、隙間８の大きさを十分に確保することができる。また、出入口２の部分のみが窪んだ形状となるので、建物１全体の外観として、意匠面での特徴を出すことができる。なお、このように、第１の壁面３Ａを後退させた構造は、建物１の長手方向における複数個所に設けられてもよい。
【００３３】
また、図５（ａ）に示すように、庇部１１及び屋根６よりも前側に、整流板２６を追加してもよい。整流板２６は、上部へ逃がす風Ｗ１を上流側で捉えるための部材である。整流板２６は、庇部１１と略同じ高さに設けられる。また、前後方向において、整流板２６は、屋根６の先端部６ｂよりも前側へ延びている。すなわち、整流板２６は、屋根６と後端側の一部で重なり、先端側の一部が屋根６より前側へ延びている。ただし、整流板２６の配置は特に限定されない。このような整流板２６を設けることによって、隙間８の上流側の位置において、当該隙間８へ向かう風Ｗ１を誘導することができる。更に、整流板２６は、風Ｗ２の上下方向の範囲を規定することで、当該風Ｗ２の高さを下方（地面側）へ押し下げることができる。これにより、出入口２で折り返される風Ｗ３の高さも下方へ押し下げることができる。これらの効果により、風Ｗ３の風速を更に低減することができる。また、整流板２６は、出入口２の手前にバス停などを設けた際の雨よけとしても機能する。
【００３４】
また、図５（ｂ）に示すように、風逃がし構造１００は、遮断部１７を備えていてよい。遮断部１７は、出入口２の前方に離間した位置に形成され、出入口２へ向かう風を遮断するものである。遮断部１７は、風を遮断できるものであればどのようなものを採用してもよいが、例えば、防風林、遮断フェンス、サインボード等を採用することができる。なお、図５（ｂ）に示すように、遮断部１７の上方を乗り越えてきた風Ｗ１は、整流板２６の下側を通過し、隙間８へ入り込むように流れる。従って、遮断部１７の前後方向における位置、及び高さは、整流板２６及び屋根６の高さと距離の関係によって、設定される。
【００３５】
以上より、遮断部１７によって、出入口２へ向かう風を遮断することで、風速を低減することができる。すなわち、出入口２へ向かう風Ｗ２の量を低減できるため、風速も低減することができる。それに伴って、出入口２で折り返される風Ｗ３の風速も低減することができる。
【００３６】
また、遮断部１７を設けることによって、出入口２付近の風圧も低減することができる。このように、風圧を低減することで、建物１の内部との気圧差を低減し、出入口２から建物１内へ吹き込む風を低減できる。ここで、遮断部１７を設けた場合に、仮に庇部１１及び屋根６を設けなかった場合は、出入口２付近の風圧を低減することができるものの、側壁部３に沿って上側から出入口２付近に吹き降ろす風が発生する。しかし、本実施形態では庇部１１及び屋根６が設けられているため、当該吹き降ろしに係る風を防ぐことができる。なお、遮断部１７が設けられる場合は、屋根６の傾斜方向は、前側へ向かって下方へ傾斜するようにした方が、風の誘導の観点から効果がある。ただし、図に示すように屋根６の傾斜方向は水平としたり、前側へ向かって上方へ傾斜する構成でもよい。
【００３７】
なお、上述の各変形例では、屋根に追加される構成要素について説明したが、各構成要素はどのように組み合わせてもよく、各図面に示したような組み合わせに限定されない。
【符号の説明】
【００３８】
１…建物、２…出入口、３…側壁部、３Ａ…第１の壁面、３Ｂ…第２の壁面、６，１６…屋根、８…隙間、１１…庇部、１７…遮断部、１００…風逃がし構造。
【図１】
2018131844.tif 000003
【図２】
2018131844.tif 000004
【図３】
2018131844.tif 000005
【図４】
2018131844.tif 000006
【図５】
2018131844.tif 000007